(57)【要約】      （修正有）【課題】安定器やその他の入力電源と管形照明モジュールの間における直流成分の交互作用を減少・隔離することができる、管形照明モジュールの構造を提供する。【解決手段】管形照明１には、少なくとも一つの直流発光素子２３と、電力変換装置が設けられる。電力変換装置は、第一蛍光灯模擬モジュール２１と、第二蛍光灯模擬モジュール２４とからなる。第一蛍光灯模擬モジュールと第二蛍光灯模擬モジュールはいずれも二つの電源入力接続端１１を備えるとともに、ブリッジ整流器２２と電気的に接続される。またブリッジ整流器は、直流発光素子と電気的に接続される。第一蛍光灯模擬モジュールと第二蛍光灯模擬モジュールのいずれか、或いは両方における一つの電源入力接続端には、コンデンサＣ１が電気的に接続される。【選択図】図１
0003196613.tif 000002
【実用新案登録請求の範囲】
【請求項１】
管形照明モジュールの構造であって、
前記管形照明には、少なくとも一つの直流発光素子と、電力変換装置が設けられ、
前記電力変換装置は、第一蛍光灯模擬モジュールと、第二蛍光灯模擬モジュールとからなり、
前記第一蛍光灯模擬モジュール、及び前記第二蛍光灯模擬モジュールは、いずれも二つの電源入力接続端を有するとともに、ブリッジ整流器と電気的に接続され、
前記ブリッジ整流器は、前記直流発光素子と電気的に接続され、
更に、安定器やその他の入力電源と管形照明モジュールの間における直流成分の交互作用を減少・隔離するとともに、仕事率を下げて前記直流発光素子を保護するために、前記第一蛍光灯模擬モジュールと第二蛍光灯模擬モジュールのいずれか、或いは両方における一つの電源入力接続端には、コンデンサが電気的に接続されることを特徴とする、管形照明モジュールの構造。
【請求項２】
前記直流発光素子は、ＬＥＤ光源であることを特徴とする、請求項１に記載の管形照明モジュールの構造。
【請求項３】
管形照明モジュールの構造であって、
前記管形照明には、少なくとも一つの直流発光素子と、安定器が設けられ、
前記安定器は、二対の電源入力接続端を備えるとともに、ブリッジ整流器と電気的に接続され、
前記電源入力接続端と前記ブリッジ整流器の間には、いずれも二つのコンデンサが電気的に接続され、
更に、前記ブリッジ整流器は、前記直流発光素子と電気的に接続され、
以上の構造により、
安定器やその他の入力電源と管形照明モジュールの間における直流成分の交互作用を減少・隔離するとともに、仕事率を低下させて、前記直流発光素子を保護することを特徴とする、管形照明モジュールの構造。
【請求項４】
前記直流発光素子は、ＬＥＤ光源であることを特徴とする、請求項３に記載の管形照明モジュールの構造。
【考案の詳細な説明】
【技術分野】
【０００１】
本考案は、管形照明モジュールに関し、特に従来の直流光源を有する管形照明モジュールの構造を改良し、安定器やその他の入力電源と管形照明モジュールの間における直流成分の交互作用を減少・隔離することができるようにする、管形照明モジュールの構造に関する。
【背景技術】
【０００２】
従来の蛍光灯管は、パワーファクター（ｐｏｗｅｒ  ｆａｃｔｏｒ）を有する電子式安定器か、或いは一般的に起動器（ｓｔａｒｔｅｒ）を必要とする従来の銅鉄式安定器によって電源を供給している。しかし、安定器が提供する電源は、ＬＥＤ等の直流発光素子には直接使用することができないため、別途設けられた電力変換装置によって、安定器から供給された電源を適切に変換した後、ＬＥＤ等の直流発光素子に提供する必要がある。
【０００３】
安定器は、交流（ＡＣ）電源を出力するとともに、放電を利用した光源が備える負性抵抗という特性を克服するために用いられるものであり、直流型（ＤＣ）のＬＥＤと直接接続することができない。よって、安定器から出力された交流電源を正確且つ効果的に、直流電源を要するＬＥＤに供給するための装置が必要となる。
【０００４】
従来技術では、交流（ＡＣ）電源を直流電源に変換するために、装置ではなく、電力変換モジュール（ＡＣ  ｔｏ  ＤＣ  ｐｏｗｅｒ  ｍｏｄｕｌｅ）が設けられることが多い。しかしこの方法は、使用する部品の特性、即ち、スイッチ部品（例：ＭＯＳＦＥＴ）、出力フィルタコンデンサ（例：電解コンデンサの電解液の寿命の問題）、変圧器の品質やサイズ・コスト等によって制限されるため、管形照明の使用寿命や効率、コストに影響を与えてしまう。
【先行技術文献】
【特許文献】
【０００５】
【特許文献１】台湾特許第Ｍ４５１７７４号明細書
【考案の概要】
【考案が解決しようとする課題】
【０００６】
そこで、本考案は、安定器やその他の入力電源と管形照明モジュールの間における直流成分の交互作用を減少・隔離することができる、管形照明モジュールの構造を提供することを目的とする。
【０００７】
本考案は、台湾特許第Ｍ４５１７７４号明細書に開示されている構造に基づき、更に電源入力接続端と電気的に接続されたコンデンサが新たに設けられることにより、安定器やその他の入力電源と管形照明モジュールの間における直流成分の交互作用を減少・隔離することができる、管形照明モジュールの構造を提供することを目的とする。
【０００８】
また、本考案は、管形照明モジュールにおける二対の電源入力接続端とブリッジ整流器の間に、電気的に接続された二つのコンデンサが設けられるとともに、前記ブリッジ整流器が直流発光素子と電気的に接続されることにより、仕事率を下げると同時に、前記直流発光素子を保護することができる、管形照明モジュールの構造を提供することを目的とする。
【課題を解決するための手段】
【０００９】
上述の目的を達成するため、本考案の管形照明には、少なくとも一つの直流発光素子と電力変換装置が設けられる。前記電力変換装置は、第一蛍光灯模擬モジュールと、第二蛍光灯模擬モジュールとからなり、前記第一蛍光灯模擬モジュール、及び第二蛍光灯模擬モジュールは、いずれも二つの電源入力接続端を有するとともに、ブリッジ整流器と電気的に接続される。前記ブリッジ整流器は、前記直流発光素子と電気的に接続される。更に、前記第一蛍光灯模擬モジュールと第二蛍光灯模擬モジュールのいずれか、或いは両方における一つの電源入力接続端には、コンデンサが電気的に接続される。以上の構造により、新たに設けられたコンデンサによって、安定器やその他の入力電源と管形照明モジュールの間における直流成分の交互作用を減少・隔離することができる。
【００１０】
また、本考案の管形照明には、少なくとも一つの直流発光素子と、安定器が設けられる。前記安定器は、二対の電源入力接続端を備えるとともに、ブリッジ整流器と電気的に接続される。前記電源入力接続端と前記ブリッジ整流器の間には、いずれも二つのコンデンサが電気的に接続される。また前記ブリッジ整流器は、前記直流発光素子と電気的に接続される。以上の構造により、新たに設けられたコンデンサによって、安定器やその他の入力電源と管形照明モジュールの間における直流成分の交互作用を減少・隔離するとともに、仕事率を低下させて、直流発光素子を保護することができる。
【図面の簡単な説明】
【００１１】
【図１】本考案の管形照明モジュールの実施例１における電子回路を示した概略図である。
【図２】本考案の管形照明モジュールの実施例２における電子回路を示した概略図である。
【考案を実施するための形態】
【００１２】
以下では、図と符号を参照しつつ、本考案の実施例について詳細に説明する。これにより、本考案の技術分野について知識を持つ人が本考案を実施する際の助けとする。
【００１３】
（実施例１）
図１（本考案の管形照明モジュールの実施例１における電子回路を示した概略図）を参照する。管形照明モジュールには、管形照明１が設けられ、管形照明１内には電子回路基板２が設けられる。電子回路基板２上には、少なくとも一つ（複数個が望ましい）の直流発光素子２３が設けられる。尚、直流発光素子２３は、ＬＥＤであることが望ましい。また管形照明１のサイズは、市販されている既成の蛍光灯管の規格に対応する。直流発光素子２３は、ブリッジ整流器２２と電気的に接続される。更に、電子回路基板２の両端には、それぞれ第一蛍光灯模擬モジュール２１と第二蛍光灯模擬モジュール２４が設けられ、第一蛍光灯模擬モジュール２１と第二蛍光灯模擬モジュール２４はいずれも直流発光素子２３と電気的に接続される。前述した第一蛍光灯模擬モジュール２１と第二蛍光灯模擬モジュール２４とブリッジ整流器２２とは、共同で電力変換装置をなす。
【００１４】
第一蛍光灯模擬モジュール２１及び、第二蛍光灯模擬モジュール２４は、それぞれ抵抗器Ｒ２とインダクタＬ１の直列接続、及び抵抗器Ｒ４とインダクタＬ３の直列接続によってなる。本考案は、抵抗器Ｒ２とインダクタＬ１、及び抵抗器Ｒ４とインダクタＬ３からなる電気モデルによって電源を生み出している。尚、抵抗器Ｒ２とインダクタＬ１、及び抵抗器Ｒ４とインダクタＬ３の電気モデルは、低抵抗値であり、その抵抗値は約１オーム以下である。
【００１５】
前述した第一蛍光灯模擬モジュール２１と第二蛍光灯模擬モジュール２４は、それぞれ一対の電源入力接続端１１と接続されて管形照明１から延伸するとともに、電源入力接続端１１によって交流の家庭用電気と接続されて管形照明１に電流を供給する。本考案の実施例１において、第一蛍光灯模擬モジュール２１の電源入力接続端１１は、コンデンサＣ１と電気的に接続されているため、電流が電源入力接続端１１から入力された時、コンデンサＣ１が安定器やその他の入力電源と管形照明モジュールの間における直流成分の交互作用を減少・隔離するとともに、仕事率を低下させて、直流発光素子を保護することができる。
【００１６】
（実施例２）
図２（本考案の管形照明モジュールの実施例２における電子回路を示した概略図）を参照する。管形照明モジュールには、管形照明１が設けられ、管形照明１内には電子回路基板２が設けられる。電子回路基板２上には、少なくとも一つ（複数個が望ましい）の直流発光素子２３が設けられる。尚、直流発光素子２３は、ＬＥＤであることが望ましい。管形照明１のサイズは、市販されている既成の蛍光灯管の規格に対応する。電子回路基板２上には、更に一対の安定器２５が設けられる。二つの安定器２５は、二対の電源入力接続端１１を備えるとともに、二つの安定器２５はブリッジ整流器２２と電気的に接続される。また、電源入力接続端１１とブリッジ整流器２２の間には、それぞれ二つのコンデンサＣ１・Ｃ２、及びコンデンサＣ３・Ｃ４が電気的に接続される。加えて、ブリッジ整流器２２は、直流発光素子２３と電気的に接続される。以上の構造により、電流が電源入力接続端１１から入力された時、二つのコンデンサＣ１・Ｃ２、及び二つのコンデンサＣ３・Ｃ４によって、安定器やその他の入力電源と管形照明モジュールの間における直流成分の交互作用を減少・隔離するとともに、仕事率を低下させて、直流発光素子を保護することができる。
【符号の説明】
【００１７】
１            管形照明
１１   電源入力接続端
２            電子回路基板
２１   第一蛍光灯模擬モジュール
２２   ブリッジ整流器
２３   直流発光素子
２４   第二蛍光灯模擬モジュール
２５   安定器
Ｃ１   コンデンサ
Ｃ２   コンデンサ
Ｃ３   コンデンサ
Ｃ４   コンデンサ
Ｌ１   インダクタ
Ｌ３   インダクタ
Ｒ２   抵抗器
Ｒ４   抵抗器
【図１】
0003196613.tif 000003
【図２】
0003196613.tif 000004